(57)【要約】【課題】本発明は、装置の構造がシンプルであり、体力や介護知識がない介護者も、被介護者の移動を容易に介助することができ、又、被介護者にとっても不安なく移動ができる介護用移送リフトを提供することを課題とする。【解決手段】上記問題を解決するために、本発明に係る介護用移送リフト１は、移動自在の台車２０に、被介護者Ｌを保持するリフト本体１０を昇降可能に設け、リフト本体１０は、被介護者Ｌの臀部から太腿裏の一部を保持し得る形状である一対の支持部材１１と、左右一対の支持部材１１を摺動させる左右一対の摺動機構を備えたガイド部材１３と、支持部材１１とガイド部材１３とを連結する連結部材１２とを備えることを特徴とする。【選択図】図１
2016093272.tif 000002
【特許請求の範囲】
【請求項１】
移動自在の台車に、被介護者を保持するリフト本体を昇降可能に設けた介護用移送リフトにおいて、前記リフト本体は、前記被介護者の臀部から太腿裏の一部を保持し得る形状である一対の支持部材と、前記左右一対の支持部材を摺動させる左右一対の摺動機構を備えたガイド部材と、前記支持部材と前記ガイド部材とを連結する連結部材とを備えることを特徴とする介護用移送リフト。
【請求項２】
前記ガイド部材の前記摺動機構の形状が、前記ガイド部材を仰臥姿勢の前記被介護者の上方の所定位置に設置すると、それぞれの前記摺動機構が前記被介護者の太腿の外方から太腿の一部さらに臀部にかけて通る摺動軌道を持つよう平面視においてハの字形状をなし、
前記連結部材による前記支持部材の支持高さにおいて、前記ガイド部材を仰臥姿勢の前記被介護者の上方の所定位置に設置すると、前記支持部材が前記被介護者の太腿裏から臀部裏の高さ付近に維持されたものである請求項１に記載の介護用移送リフト。
【請求項３】
前記ガイド部材の前記摺動機構は、大地に対して前方にやや下向きに傾斜していることを特徴とする請求項１または２に記載の介護用移送リフト。
【請求項４】
前記傾斜が３度ないし５度であることを特徴とする請求項３に記載の介護用移送リフト。
【請求項５】
左右一対の前記支持部材が、前記ガイド部材の摺動機構により左右連動して摺動するものであることを特徴とする請求項１ないし４のいずれか１項に記載の介護用移送リフト。
【請求項６】
左右一対の前記支持部材が、前記ガイド部材の摺動機構により左右独立に摺動できるものであることを特徴とする請求項１ないし４のいずれか１項に記載の介護用移送リフト。
【請求項７】
前記支持部材が帯板状の金属板であり、前記帯板状の金属板と前記連結部材との連結箇所が、前記被介護者に対して外側縁に設けられており、
内側縁方向から前記被介護者の体の一部を受け入れられる一方、外側縁方向ある前記連結部材が前記被介護者の体を外側へ逃がさない支持面となっていることを特徴とする請求項１ないし６のいずれか１項に記載の介護用移送リフト。
【請求項８】
前記支持部材は、帯板状の金属板の幅が基端側よりも先端側ほど先が狭くなる先細り状に形成した支持板と、該支持板の長さ方向の基端側面で前記連結部材に当接する側の一端に直立した連結片とを備え、前記連結部材の底面が前記支持板の上面に当接するように該連結片と前記連結部材とを枢支したものであることを特徴とする請求項１ないし７のいずれか１項に記載の介護用移送リフト。
【請求項９】
前記連結部材は底面の一部に凹部を備え、該凹部の隙間に該隙間よりも大きい弾性芯材を嵌め込んだことを特徴とする請求項８に記載の介護用移送リフト。
【請求項１０】
前記連結片は、前記介護用移送リフトを車いすに当接した際に、前記支持部材が前記車いすの座面奥に挿入しないためのストッパを備えることを特徴とする請求項１ないし９のいずれか１項に記載の介護用移送リフト。
【請求項１１】
前記リフト本体は、被介護者の足を保持し得る形状である足支持部材と、前記ガイド部材を補強しかつ前記足支持部材を支持する補強部材と、前記足支持部材と前記補強部材とを枢支連結する連結部材とを備えることを特徴とする請求項１ないし１０のいずれか１項に記載の介護用移送リフト。
【請求項１２】
前記台車が、前記リフト本体を昇降可能とする昇降機構と、前記リフト本体を回動可能に支持する回動機構と、前記台車自身が移動可能な移動機構を備えたものである１ないし１１のいずれか１項に記載の介護用移送リフト。
【発明の詳細な説明】
【技術分野】
【０００１】
本発明は、病院や養護施設等において身動きの不自由な患者、身体障害者、高齢者等（以下、「被介護者」という。）をベッドから例えば車椅子に移乗させ、あるいはその逆の作業にも使用できる介護用移送リフトに関する。
【背景技術】
【０００２】
起伏や寝返りの困難な被介護者の上体を起こして、ベッドから椅子等に移動したり、椅子からベッドに寝かせたりするような介助に際しては、介護者は介護知識と体力の双方を要求される。被介護者は女性のように体力が劣る介護者に介助されるとき非常に不安になり、一方、体力が劣る介護者は起伏の回数を減らそうとする。そのため、起伏の回数を多くすることにより、寝たきりの状態から被介護者に自立を促す方法をとる療養手段が介護者によって妨げられる場合もあった。
【０００３】
このように従来、被介護者に自立を促す段階において、寝たきり状態から椅子、車椅子等の生活に移行させるためには介護者の介護知識と体力に頼っており、人材不足や介護費用の高騰を招来していた。
【０００４】
被介護者を吊り上げて移動するリフト装置については、種々の製品が市販されているが、これら装置はいずれも数本のベルトまたはシート等で吊り上げる形式のもので、手間がかかる上、ベルトが被介護者に食い込んだり、シートが体の両脇を強く締め付けたり、格納・移動に場所をとったりする等の難点がある。
【０００５】
また、被介護者の起伏介助を支援するための介護支援装置の発明が提案されている。特許文献１に係る発明は、簡単なクレーンを使用して被介護者をネットやフックで吊り上げて椅子等に移動させるものである。特許文献２に係る発明は、ネットやフックに代えて被介護者の臀部を下から包み込むスリングシートを用いるものである。また、特許文献３は、移動自在の台車に、仰臥状態の被介護者の胸部を把持する把持器を昇降及び回動自在に設けるものである。さらに、特許文献４に係る発明は、ベッド上で仰臥姿勢のまま被介護者を乗せ、被介護者にそのまま着座姿勢を取らせるよう傾斜可能なそり状体と、該そり状体に連結でき、かつ該そり状体を被介護者とともに上昇回転させつつ傾斜させることができるリフト本体とからなる介護用リフト移送装置を提案している。またさらに、特許文献５に係る発明は、特許文献４に係る発明を改良したものであって、支柱に上下動可能に横設したカンチレバーの自由端部分に、脇支持部と背部支持部バンドを有する上部アタッチメント機構と腿担持部とふくらはぎ担持部を有する下部アタッチメント機構を共に回動、ロックできるように設けた介護用リフト移送装置を提案している。特許文献６に係る発明は、移動可能な台車部と、前記台車部に連結されたアーム部と、前記アーム部に取付けられ、人を保持する保持具と、を備える移乗装置であって、前記保持具は、人の胴体を抱えるように保持する胴体サポート部と、該胴体サポート部の下部に接続され、下肢部の膝裏を支持するための下肢サポート部と、を有することを特徴とする移乗装置を提案している。
【先行技術文献】
【特許文献】
【０００６】
【特許文献１】特開平８−２２４２７８号公報
【特許文献２】特開平１０−１４９９３号公報
【特許文献３】特開２０００−１０２２９７号公報
【特許文献４】特開平３−２１０２５６号公報
【特許文献５】特開平６−１４９６５号公報
【特許文献６】特開２０１０−６９２８３号公報
【発明の概要】
【発明が解決しようとする課題】
【０００７】
しかしながら、特許文献１に係る介護支援装置においては、人間をネットやフックで吊り上げる行為は通常の生活習慣とかけ離れており、被介護者に心理的な抵抗感を与えるおそれがあり、一方、被介護者の体勢も不安定になり、揺られながらの移動は、被介護者に非常に不安な気持ちを持たせるおそれがある。また、特許文献２に係る介護支援装置においては、仰臥状態の被介護者の臀部をスリングシートで下から保持して持ち上げるには、被介護者に事前に座位姿勢をとらせる必要があり、介護者の負担が大きく、一方、特許文献１に係る介護支援装置と同様に移動に際して被介護者の体勢が不安定になる問題があった。さらに、特許文献３に係る介護支援装置においては、仰臥状態の被介護者をそのまま保持することが可能となるが、持ち上げるに際しては、被介護者は胸部分のみが把持され、下半身には支えがないので、引っ張り上げられているという感触を被介護者が持ちやすく、一方、特許文献１に係る介護支援装置と同様に移動に際して被介護者の体勢が不安定になる問題があった。また、特許文献４に係る介護用リフト移送装置は、介護者が被介設者の背を手で持ち上げて、そり状体の背部サポートを被介護者の下側にくるようにしたり、またリフト本体にそり状体を接続させたりするため、少なくとも二人の介護者が必要で、依然として手間や労力の点で問題があった。特許文献５に係る介護用リフト移送装置は、特許文献４に係る発明を改良して上記問題を解決したものの、腿担持部とふくらはぎ担持部とは被介護者の体重で食い込み、被介護者にとっては肉体的な負担がやはり大きい。さらに、特許文献６に係る移乗装置は下半身を下肢部分でのみ支持するため、支持される部分が食い込み、被介護者にとって肉体的な負担が大きい上、介護者にとっては、被介護者の下肢を下肢支持部材に載せる作業が解消されないという問題がある。
【０００８】
そこで、本発明は、以上の従来技術の問題点を解決するために創作されたものであり、装置の構造がシンプルであり、体力や介護知識がない介護者も、被介護者の起伏や移動を容易に介助することができ、又、被介護者にとっても不安なく起伏や移動ができる介護用移送リフトを提供することを課題とする。
【課題を解決するための手段】
【０００９】
本発明に係る介護用移送リフトは、移動自在の台車に、被介護者を保持するリフト本体を昇降可能に設けた介護用移送リフトにおいて、リフト本体は、被介護者の臀部から太腿裏の一部を保持し得る形状である一対の支持部材と、左右一対の支持部材を摺動させる左右一対の摺動機構を備えたガイド部材と、支持部材とガイド部材とを連結する連結部材とを備えることを特徴とする。
【００１０】
また、ガイド部材の摺動機構の形状について、ガイド部材を仰臥姿勢の被介護者の上方の所定位置に設置すると、それぞれの摺動機構が前記被介護者の太腿の外方から太腿の一部さらに臀部にかけて通る摺動軌道を持つよう平面視においてハの字形状をなし、連結部材による支持部材の支持高さにおいて、ガイド部材を仰臥姿勢の被介護者の上方の所定位置に設置すると、支持部材が被介護者の太腿裏から臀部裏の高さ付近に維持されたものであるようにするとなおよい。さらに、ガイド部材の摺動機構は、大地に対して前方にやや下向きに傾斜するように配置すれば、ベッドに仰臥している被介護者の体型や病状、ならびに車いすの座面の傾きにも対応することが可能になる。なお、傾斜を３度ないし５度にすると好適である。
【００１１】
左右一対の支持部材は、ガイド部材の摺動機構により左右連動して摺動するようにしてもよいし、ガイド部材の摺動機構により左右独立に摺動できるようにしてもよい。支持部材は帯板状の金属板であり、帯板状の金属板と連結部材との連結箇所が、被介護者に対して外側縁に設けられており、内側縁方向から被介護者の体の一部を受け入れられる一方、外側縁方向にある連結部材が被介護者の体を外側へ逃がさない支持面となるようにするとよい。さらに、支持部材は、帯板状の金属板の幅が基端側よりも先端側ほど先が狭くなる先細り状に形成した支持板と、該支持板の長さ方向の基端側面で連結部材に当接する側の一端に直立した連結片とを備え、連結部材の底面が支持板の上面に当接するように該連結片と連結部材とを枢支するとよい。さらに、連結部材が底面の一部に凹部を備え、該凹部の隙間に該隙間よりも大きい弾性芯材を嵌め込むようにすれば、支持板にいわゆる遊びが生じ、支持板を被介護者に宛てがう際、被介護者の体形等に対応できるとともに、車いすの座面の傾きにも対応することが可能になる。
【００１２】
また、連結片は、介護用移送リフトを車いすに当接した際に、支持部材が車いすの座面奥に挿入しないためのストッパを備えるようにすると安全で便利である。
【００１３】
別の変形形態として、リフト本体が、被介護者の足を保持し得る形状である足支持部材と、ガイド部材を補強しかつ足支持部材を支持する補強部材と、足支持部材と補強部材とを枢支連結する連結部材とを備えるようにしてもよい。
【００１４】
さらに、台車が、リフト本体を昇降可能とする昇降機構と、リフト本体を回動可能に支持する回動機構と、台車自身が移動可能な移動機構を備えるようにすればより利便性が高まる。
【発明の効果】
【００１５】
本発明に係る介護用移送リフトは、一人の介護者で該介護者の体力に依存することなく、被介護者の移動を極めて容易に行うことができ、また装置の着脱が簡単であるので、重労働から解放されるという効果がある。また、本発明に係る支持部材を用いれば、被介護者の臀部の横側から差し入れるような動作が可能となり被介護者に心理的な違和感を生じさせないという効果がある。さらに、本発明に係る介護用移送リフトは、剛性を有するとともに構造がシンプルで、介護者が被介護者の状態を確認しながら操作するため、被介護者は安全かつ安心して移動できるという効果がある。なお、本発明に係る介護用移送リフトの支持部材がハの字に被介護者の臀部と太腿の一部を支持するので、被介護者の用便のためのトイレへの移送も可能となる。
【図面の簡単な説明】
【００１６】
【図１】本発明に係る介護用移送リフト１の全体構成を示す斜視図である。
【図２】リフト本体１０の一部を示す側面図である。
【図３】支持部材１１を示す平面図（ａ）、側面図（ｂ）、正面図（ｃ）である。
【図４】支持部材１１と連結部材１２の連結構造を示す分解側面図（ａ）、支持部材１１が連結部材１２に対して回動可能な状態を示す側面図（ｂ）である。
【図５】リフト本体１０の一部を示す平面図である。
【図６】リフト本体１０の回動状態を示す平面図である。
【図７】リフト本体１０の回動状態を示す側面図である。
【図８】リフト本体１０の支持部材１１を被介護者Ｌの腰に宛てがった際、ガイド部材１３の軌道が被介護者の臀部上部を通過することを示す図である。
【図９】介護者Ｋが介護用移送リフト１をベッドに移動し操作する様子を示す図である。
【図１０】ベッドに仰臥している被介護者Ｌをリフト本体１０に支持される様子を示す図である。
【図１１】リフト本体１０に支持された被介護者を吊り上げる様子を示す図である。
【図１２】リフト本体１０に吊り上げられた被介護者を車いすに移送する様子を示す図である。
【図１３】実施例２に係る介護用移送リフト２の概略的な右側面図である。
【図１４】介護用移送リフト２のリフト本体５０の一部を示す右側面図である。
【図１５】足保持部材を示す断面図である。
【図１６】リフト本体５０に吊り下げられた被介護者を車いすに移送する様子を示す図である。
【発明を実施するための形態】
【００１７】
以下、本発明の実施例を図面に基づき詳細に説明する。各図において、同一部分には同一番号を付し、重複する説明は省略する。また、図面は、本発明を理解するために誇張して表現している場合もあり、必ずしも縮尺どおり精緻に表したものではないことに留意されたい。なお、本発明は下記に示される実施例に限られるものではない。
【実施例１】
【００１８】
実施例１を図面を参照して詳細に説明する。
【００１９】
まず、介護用移送リフト１の全体構成を説明する。図１は、本発明に係る介護用移送リフト１の全体構成を示す斜視図である。図１に示すとおり、本発明に係る介護用移送リフト１は、大別すると、被介護者Ｌを保持するリフト本体１０と、リフト本体１０を支持する台車２０とから構成される。リフト本体１０は、被介護者Ｌの臀部と太腿裏の一部を保持する一対の支持部材１１ａ、１１ｂと、各支持部材１１ａ、１１ｂを台車２０の前後方向に沿って摺動自在にする一対のガイド部材１３ａ、１３ｂと、支持部材１１ａ、１１ｂとガイド部材１３ａ、１３ｂとを連結する連結部材１２ａ、１２ｂとを備える。また、他に被介護者Ｌの胸部を保持する胸面支持部材１５と、把手１４を備えるとよい。本発明において最も重要な構成要素であり特徴部分である支持部材１１ａ、１１ｂについては図２及び３において詳細に後述する。一方、台車２０は、複数の車輪（図示していない）を有するベース部材２１と、ベース部材２１に戴置された支柱２２と、支柱２２に対して昇降する昇降支柱２４と、昇降支柱２４に固定されて前述したリフト本体を回動可能に連結する懸架部材２５と、移動用のキャスタ２６ａ、２６ｂを有する脚部材２３ａ、２３ｂとを備える。なお、剛性を高めるため、昇降支柱２４と懸架部材２５とを懸架補強部材３１で固定している。さらに、台車２０はハンドル２７を備えると移動に便利である。また、フロアロック（図示していない）を備えると、介護用移送リフトの移送後の静止状態の駆動操作に便利である。介護用移送リフト１は、そのほとんどの構成部品を金属、例えばスチール鋼、アルミニウム等の角材や角パイプ等を組み合わせて形成することができる。なお、昇降駆動機構は図示しない種々の動力機構及び制御機構により駆動されてよい。例えばモータによる電動の昇降駆動機構や油圧シリンダ、水圧シリンダ等を用いた昇降駆動機構等様々な方式を用いることができる。
【００２０】
図２を参照する。図２は、リフト本体１０の一部を示す側面図である。ここでは、リフト本体１０の重要な要素のみ説明する。また、左右対称であるので、符号のうち右左を示すａ、ｂは省略して説明する。リフト本体１０は、被介護者Ｌの臀部と太腿裏の一部を保持する一対の支持部材１１と、各支持部材１１を台車２０の前後方向に沿って摺動自在にする一対のガイド部材１３と、支持部材１１とガイド部材１３とを連結する連結部材１２とを備える。連結部材１２に連結された支持部材１１は、ガイド部材１３のガイドに沿って台車２０の前方方向に摺動することができる。なお、連結部材１２は、所定の位置に被介護者Ｌの背面を保持する背面支持ベルト１６を取付け可能な背面支持ベルト取付部１２３を備える。支持部材１１、ならびに支持部材１１と連結部材１２の連結構造については詳細に後述する。
【００２１】
図３を参照する。図３は、支持部材１１を示す平面図（ａ）、側面図（ｂ）、正面図（ｃ）である。この支持部材１１は、仰臥状態の被介護者Ｌ又は車いすＷに着座状態の被介護者Ｌを保持することを前提としており、被介護者Ｌの尻及び大腿部の一部を保持する支持板１１０と連結片１１１とから構成される。図３（ａ）に示すとおり、支持板１１０は、帯板状の金属板の幅が基端側よりも先端側ほど先が狭くなる先細り状に形成しており、いわばヘラのような形状を形成している。このような形状を採用しているのは、後述するように仰臥している被介護者Ｌの太ももとベッド表面との間に支持板１１０を臀部中央に向けて容易に滑り込ませるためである。図３（ｂ）、（ｃ）を参照すると、支持板１１０の長さ方向の基端側面で連結部材に当接する側の一端に直立した連結片１１１を備える。支持板１１０と連結片１１１は、略垂直に溶接等適宜な方法によって固定される。後述するとおり、連結片１１１は、所定の位置に孔１１２を備え、連結部材１２にねじ等取付部材（図示していない）で枢支される。また、連結片１１１は、介護用移送リフトを車いすに当接した際に、支持部材１１が車いすの座面奥に挿入しないためのストッパ１１３を備える。ストッパ１１３はコの字金具や樹脂ブロックを用いるとよい。なお、図３（ｃ）に示すとおり、支持板１１０の厚みは内端側から連結片１１２のある外端側に徐々に厚くなるようにすれば、被介護者Ｌの臀部への支持板１１０の差し入れがより容易になる。
【００２２】
図４を参照する。図４は、支持部材１１と連結部材１２の連結構造を示す分解側面図（ａ）、支持部材１１が連結部材１２に枢支されて回動可能な状態を示す側面図（ｂ）である。図４（ａ）に示すとおり、連結部材１２は支持部材１１に連結したときに支持板１１０に当接する底面の所定の位置に凹部１２１を備えている。凹部１２１は略半円柱断面や略矩形断面の形状であればよく、凹部１２１の間隙と同形状でそれよりも大きな弾性芯材１２４、例えばゴム等を凹部１２１に嵌め込む。そして、支持部材１１を、連結片１１１の孔１１２が連結部材１２の孔１２２に重なり合うよう、連結部材１２の外側にねじ等取付部材（図示していない）で枢支する。図４（ｂ）に示すように、凹部１２１に弾性芯材１２４が嵌め込まれることにより、いわゆる遊びが生まれ、連結部材１２に枢支された支持部材１１が上下に回動できることで、介護者Ｋが被介護者Ｌの体型や健康状態に応じて支持板１１０を上下させながら被介護者の臀部に差し入れることが可能となるとともに、車いすの座面の傾きにも対応することができる。
【００２３】
次に、図５を参照しながら、リフト本体１０におけるガイド部材１３ａ、１３ｂの配置について説明する。図５は、リフト本体１０の一部を示す平面図である。図５に示すとおり、リフト本体１０において、一対のガイド部材１３ａ、１３ｂは、大地に対して水平に配置され、かつ平面視において互いの先端が閉じたハの字形状に並列している。ガイド部材１３ａ、１３ｂは、補強部材１７を介して金具１８ａ、１８ｂ、１９ａ、１９ｂで連結固定される。固定されたハの字の先端に胸面支持部１５を備えるとよい。胸面支持部１５は木板、金属板、又は樹脂板等を基材として、基材の表面にウレタン材や布を使用してクッションを設けるようにしてもよい。このように、一対のガイド部材１３ａ、１３ｂをハの字に並列にすることによって、支持部材１１ａ、１１ｂが摺動して最前方に配置されたとき、それらの先端が６０ｍｍ程度離間するように調整すると、支持板１１０ａ、１１０ｂが被介護者Ｌの臀部及び太腿の一部を支持することができる。なお、符号３０において、台車２０の懸架部材２５に枢支され、後述するとおり、リフト本体１０は所定の範囲で回動する。
【００２４】
図６及び７を参照しながら、リフト本体１０の回動について説明する。図６は、リフト本体１０の回動状態を示す平面図で、図７はその側面図である。図６（ａ）はリフト本体１０の始動状態を示している。図６（ｂ）は、リフト本体１０が符号３０を支軸として水平面で９０度左に回動した状態を示している。図６（ｃ）は、支持板１１ａ、１１ｂがガイド部材１３ａ、１３ｂを前方に摺動した状態を示す。このように支持板１１ａ、１１ｂは各支持板１１０ａ、１１０ｂの先端が少し開いた状態が好ましい。実施例１においては、支持板１１０ａ、１１０ｂの先端の離間距離を６０ｍｍ程度にしている。支持板１１０ａ、１１０ｂは延伸時に仰臥状態の被介護者ＬとベッドＢの隙間に進入して被介護者の臀部と太腿の一部を保持する。なお、リフト本体１０は、図示しない動力機構及び制御機構により回動の所望の範囲内において任意の回転角度に駆動される。同様に、図７を参照する。図７（ａ）はリフト本体１０の始動状態を示している。図７（ｂ）は、リフト本体１０が符号３０を支軸として水平面で９０度左に回動した状態を示している。図７（ｃ）は、支持板１１ａ、１１ｂがガイド部材１３ａ、１３ｂを前方に摺動した状態を示す。
【００２５】
図８を参照して、ガイド部材１３の摺動機構の形状について説明する。図８は、リフト本体１０の支持部材１１を被介護者Ｌの腰に宛てがった際、ガイド部材１３の軌道が被介護者の臀部上部を通過することを示す図である。図８に示すとおり、ガイド部材１３を仰臥姿勢の被介護者Ｌの上方の所定位置に設置すると、それぞれの摺動機構が被介護者Ｌの太腿の外方から太腿の一部さらに臀部にかけて通る摺動軌道（矢印で示している。）を持つよう平面視においてハの字形状をなしていることが理解できるであろう。そして、連結部材１２による支持部材１１の支持高さにおいて、ガイド部材１３を仰臥姿勢の被介護者Ｌの上方の所定位置に設置すると、支持部材１１の左右の支持板１１０ａ、１１０ｂが被介護者Ｌの太腿裏から臀部裏の高さ付近に維持されることになる。
【００２６】
次に、介護用移送リフト１を用いて、被介護者ＬをベッドＢから車いすＷへ移送する手順を図９ないし１２を参照しながら説明する。図９は、介護者Ｋが介護用移送リフト１をベッドＢに移動し操作する様子を示す図である。図１０は、ベッドＢに仰臥している被介護者Ｌをリフト本体１０に支持される様子を示す図である。図１１は、リフト本体１０に支持された被介護者Ｌを吊り上げる様子を示す図である。図１２は、リフト本体１０に吊り上げられた被介護者Ｌを車いすＷに移送する様子を示す図である。
【００２７】
図９を参照する。まず、介護者Ｋは、ベッドＢに仰臥している被介護者Ｌの幅方向に介護用移送リフト１を近づける（図９（ａ））。そして、リフト本体１０を水平面で９０度左に回転させ、リフト本体１０が被介護者Ｌの腿近傍の上方にくるように位置調整する（図９（ｂ））。
【００２８】
図１０を参照する。次に、駆動機構（図示していない）を駆動させて、支持部材１１の支持板１１０ａ、１１０ｂの底面がベッドＢに接するまで昇降支柱２４を降下させる（図１０（ａ））。そして、支持板１１０ａ、１１０ｂが被介護者Ｌの腿の両脇に来るように調整し、一対の支持板１１ａ、１１ｂを一対のガイド部材１３ａ、１３ｂに沿って前方に摺動させる（図１０（ｂ））。このとき、介護者Ｋは被介護者Ｌの臀部の右左をそれぞれ少し上げて支持板１１０ａ、１１０ｂに軽く載せるようにすると、支持板１１０ａ、１１０ｂがスムーズに臀部の中央に向けて直進しやすい。支持板１１０ａ、１１０ｂの先端が被介護者Ｌの臀部の中央まで達したことを介護者Ｋは確認し、被介護者Ｌの背を起こして胸部を胸面支持部１５に当接させる（図１０（ｃ））。
【００２９】
図１１を参照する。続けて、介護者Ｋは、被介護者Ｌの背面を背面支持ベルト１６で、連結部材１２ａ、１２ｂの背面支持ベルト取付部１２３ａ、１２３ｂに固定する（図１１（ａ））。なお、被介護者Ｌの背面支持については、背面支持ベルト取付部１２３ａ、１２３ｂに予めそれぞれ樹脂ベルトを取り付けておき、互いを面ファスナにて固定するようにしてもよい。次に、駆動機構（図示していない）を駆動させて、昇降支柱２４を上昇させて、被介護者Ｌを保持したリフト本体１０を吊り上げる（図１１（ｂ））。そして、介護用移送リフト１をベッドＢから離隔し、水平面で９０度右に回転させる（図１１（ｃ））。
【００３０】
図１２を参照する。次に、介護用移送リフト１を車いすＷの座面方向に向ける（図１２（ａ））。被介護者Ｌの臀部が車いすＷの座面の真上に来るように調整した後、駆動機構（図示していない）を駆動させて、昇降支柱２４を降下する（図１２（ｂ））。このとき、支持板１１０ａ、１１０ｂが車いすＷの座面に接するまで降下させ、支持板１１０ａ、１１０ｂをガイド部材１３ａ、１３ｂに沿って後方に摺動させるとよい。介護者Ｋは、背面支持ベルト１６を背面支持ベルト取付部１２３ａ、１２３ｂから外した後、介護用移送リフト１を後方に移動させる（図１２（ｃ））。
【００３１】
最後に、被介護者Ｌを車いすＷからベッドＢに移送する手順を説明する。この手順は、ベッドＢから車いすＷに移送する手順の逆であるので、図面は省略している。まず、介護者Ｋは、車いすＷに着座している被介護者Ｌの正面に介護用移送リフト１を近づける。そして、駆動機構を駆動させて、昇降支柱２４を降下させて、リフト本体１０の支持板１１０ａ、１１０ｂが車いすＷの座面に接しかつ被介護者Ｌの腿の脇に入るようリフト本体１０を降下させて高さ調整をする。支持板１１０ａ、１１０ｂが被介護者Ｌの両腿の外側底面に来るように調整し、一対の支持部材１０ａ、１０ｂをガイド部材１３ａ、１３ｂに沿って前方に摺動させる。このとき、介護者Ｋは被介護者Ｌの太腿の右左をそれぞれ軽く上げて支持板１１０ａ、１１０ｂに軽く載せるようにすると、支持板１１０ａ、１１０ｂがスムーズに被介護者Ｌの臀部の中央に向けて直進しやすい。また、別の方法として、介護者Ｋは、座位状態の被介護者Ｌの肩部を左、右に傾けることで尻部の片側をそれぞれ軽く上げて支持板１１０ａ、１１０ｂに軽く載せるようにしてもよい。支持板１１０ａ、１１０ｂの先端が被介護者の臀部の中央まで達したことを介護者Ｋは確認し、被介護者Ｌの胸部を胸面支持部１５に当接させて背面支持ベルト１６で胴体を固定する。
【００３２】
次に、駆動機構を駆動させて昇降支柱２４を上昇させ、被介護者Ｌを保持したリフト本体１０を吊り上げる。介護用移送リフト１を車いすＷから後方に離隔する。そして、ベッドＢの長さ方向に直角に介護用移送リフト１を近づけ、リフト本体１０を水平面で９０度左に回転させ、被介護者Ｌがベッドの中央にくるように位置調整した後、再び駆動機構を駆動させて、リフト本体１０をゆっくり降下する。被介護者Ｌの臀部がベッドＢの上面に接するまで降下させて止めた後、一対の支持部材１０ａ、１０ｂをガイド部材１３ａ、１３ｂに沿って後方に摺動させる。介護者Ｋは、背面支持ベルト１６を外した後、被介護者Ｌの背をゆっくりベッドＢに横たえる。そして、介護用移送リフト１をベッドＢの後方に移動させる。
【実施例２】
【００３３】
実施例２を図面を参照して詳細に説明する。
【００３４】
まず、介護用移送リフト２の全体構成を説明する。図１３は、本発明に係る介護用移送リフト２の全体構成を示す右側面図である。左右対称であるので、符号のうち右左を示すａ、ｂは省略して説明する。図１３に示すとおり、本発明に係る介護用移送リフト２は、大別すると、被介護者Ｌを保持するリフト本体５０と、リフト本体５０を支持する台車６０とから構成される。リフト本体５０は、被介護者Ｌの臀部と太腿裏の一部を保持する一対の支持部材５１と、各支持部材５１を台車６０の前後方向に沿って摺動自在にする一対のガイド部材５３と、支持部材５１とガイド部材５３とを連結する連結部材５２とを備える。また、他に被介護者Ｌの胸部を保持する胸面支持部材５５と、把手５４（図示していない）と、被介護者Ｌの足部を保持する足保持部材５８を備えるとよい。
【００３５】
一方、台車６０は、複数の車輪を有するベース部材６１と、ベース部材６１に戴置された支柱６２と、支柱６２に対して昇降する昇降支柱６４と、昇降支柱６４に固定されて前述したリフト本体５０を回動可能に連結する懸架部材６５と、移動用のキャスタ６６ａ、６６ｂを有する脚部材６３ａ、６３ｂとを備える。なお、脚部材６３ａ、６３ｂは、車いすＷの補助輪が乗り越えられる高さにすると、図１６に示すようにリフト本体５０を回動することなく、被介護者Ｌを車いすＷに移送することができる。実施例２において、脚部材６３ａ、６３ｂの高さは２５ｍｍにしているが、車いすＷの補助輪が乗り越えられる高さであればよく、２５ｍｍに限定されない。さらに、台車６０はハンドル６７（図示していない）を備えると移動に便利である。介護用移送リフト２は、そのほとんどの構成部品を金属、例えばスチール鋼、アルミニウム等の角材や角パイプ等を組み合わせて形成することができる。なお、昇降駆動機構は図示しない種々の動力機構及び制御機構により駆動されてよい。例えばモータによる電動の昇降駆動機構や油圧シリンダ、水圧シリンダ等を用いた昇降駆動機構等様々な方式を用いることができる。
【００３６】
図１４を参照する。図１４は、リフト本体５０の一部を示す側面図である。リフト本体５０は、実施例１に係るリフト本体１０とほとんど同じであるので、ここでは、リフト本体５０の重要な要素のみ説明する。また、左右対称であるので、符号のうち左右を示すａ、ｂは省略して説明する。リフト本体５０は、被介護者Ｌの臀部と太腿裏の一部を保持する一対の支持部材５１と、各支持部材５１を台車６０の前後方向に沿って摺動自在にする一対のガイド部材５３と、支持部材５１とガイド部材５３とを連結する連結部材５２とを備える。連結部材５２に連結された支持部材５１は、ガイド部材５３のガイドに沿って台車６０の前方方向に摺動することができる。なお、連結部材５２は、所定の位置に被介護者Ｌの背面を保持する背面支持ベルト５６を取付け可能な背面支持ベルト取付部を備える。リフト本体５０におけるガイド部材５３ａ、５３ｂの配置について説明すると、一対のガイド部材５３は、大地に対して前方方向にやや下向きに傾斜して（矢印に示している）配置され、かつ平面視において互いの先端が閉じたハの字形状に並列している。このように、一対のガイド部材５３を大地に対して前方方向にやや下向きに傾斜して配置しかつハの字に並列にすることによって、支持部材５１が摺動して最前方に配置されたとき、それらの先端が６０ｍｍ程度離間するように調整すると、支持板５１０ａ、５１０ｂが被介護者Ｌの臀部及び太腿の一部の下に入り込み支持することができる。なお、一対のガイド部材５３の傾斜を３度ないし５度にすると好適である。ガイド部材５３ａ、５３ｂは、補強部材５７を介して金具（図示していない）で連結固定される。固定されたハの字の先端に胸面支持部５５を備えるとよい。
【００３７】
図１５を参照する。図１５は、足保持部材５８を示す断面図である。実施例２において、リフト本体５０は、被介護者Ｌの足を保持し得る形状である足支持部材５８と、ガイド部材５３を補強しかつ足支持部材５８を支持する補強部材５７と、足支持部材５８と補強部材５７とを枢支連結する連結部材５９とを備える。足保持部材５８ａ、５８ｂは、それぞれ補強部材５７の右左側面の一部に軸支して取り付けられ、被介護者Ｌの足を保持するものである。足保持部材５８は、二枚の帯状金属板を稜線が長手方向に位置するように略半円状に折り返し曲折するようにして形成した二枚の保持部材５８ａ、５８ｂからなる。なお、二枚の保持部材５８ａ、５８ｂはＦＲＰ等の樹脂成形品で形成してもよい。二枚の保持部材５８ａ、５８ｂの一端を補強部材５７の右左側面の一部に連結部材５９ａ、５９ｂで回動自在に取付け、他端を突き合わせたときにＷ形状を形成する。回動状態は点線部で示す二枚の保持部材５８ａ、５８ｂと矢印方向で理解できるであろう。なお、足保持部材５８は、実施例１においては示していないが、実施例１においても介護用移送リフト１は具備してもよい。
【００３８】
図１６を参照する。図１６は、リフト本体５０に吊り下げられた被介護者Ｌを車いすＷに移送する様子を示す図である。リフト本体５０に被介護者Ｌを吊り下げるまで（図１１（ｂ））は、実施例１と同様であるので、図は省略する。介護者Ｋは介護用移送リフト２をベッドから離間するが、介護用移送リフト２は、前述したとおり、脚部の高さを２５ｍｍ程度に設定しているので、車いすの補助輪が容易に乗り越えることができるため、実施例１のようにリフト本体５０を回転しなくてよい（図１６（ａ））。したがって、介護者Ｋは、車いすＷの座面をリフト本体５０に吊り下げられた被介護者Ｌの尻部が車いすＷの座面の真上に来るように調整した後、駆動機構（図示していない）を駆動させて、昇降支柱６４を降下する（図１６（ｂ））。このとき、支持板５１０ａ、５１０ｂが車いすＷの座面に接するまで降下させ、支持板５１０ａ、５１０ｂをガイド部材５３ａ、５３ｂに沿って後方に摺動させるとよい。介護者Ｋは、背面支持ベルト（図示していない）を外した後、介護用移送リフト２を車いすＷから移動させる（図１６（ｃ））。
【００３９】
以上、本発明に係る介護用移送リフトにおける好ましい実施形態を図示して説明してきたが、本発明の技術的範囲を逸脱することなく種々の変更が可能であることは理解されるであろう。
【産業上の利用可能性】
【００４０】
本発明に係る介護用移送リフトは、構造が簡易であり介護者に負担が少ないので、病院や介護施設のみならず、家庭用としても広く利用することができる。
【符号の説明】
【００４１】
１  ２  介護用移送リフト
１０  ５０  リフト本体
１１ａ  １１ｂ  ５１  支持部材
１１０ａ  １１０ｂ  ５１０ａ  ５１０ｂ  支持板
１１１ａ  １１１ｂ  ５１１ａ  ５１１ｂ  連結片
１１２ａ  １１２ｂ  孔
１１３ａ  １１３ｂ  ストッパ
１２ａ  １２ｂ  ５２ａ  ５２ｂ  連結部材
１２１ａ  １２１ｂ  凹部
１２２ａ  １２２ｂ  孔
１２３ａ  １２３ｂ  背面支持ベルト取付部
１２４ａ  １２４ｂ  弾性芯材
１３ａ  １３ｂ  ５３ａ  ５３ｂ  ガイド部材
１４  ５４  把手
１５  ５５  胸面支持部
１６  ５６  背面支持ベルト
１７  ５７  補強部材
２０  ６０  台車
２１  ６１  ベース
２２  ６２  支柱
２３ａ  ２３ｂ  ６３ａ  ６３ｂ  脚部
２４  ６４  昇降支柱
２５  懸架柱
２６ａ  ２６ｂ  ６６ａ  ６６ｂ  キャスタ
５８  足保持部材
５９ａ  ５９ｂ  連結部材
Ｋ  介護者
Ｌ  被介護者
Ｗ  車いす
【図１】
2016093272.tif 000003
【図２】
2016093272.tif 000004
【図３】
2016093272.tif 000005
【図４】
2016093272.tif 000006
【図５】
2016093272.tif 000007
【図６】
2016093272.tif 000008
【図７】
2016093272.tif 000009
【図８】
2016093272.tif 000010
【図９】
2016093272.tif 000011
【図１０】
2016093272.tif 000012
【図１１】
2016093272.tif 000013
【図１２】
2016093272.tif 000014
【図１３】
2016093272.tif 000015
【図１４】
2016093272.tif 000016
【図１５】
2016093272.tif 000017
【図１６】
2016093272.tif 000018